(57)【特許請求の範囲】
【請求項１】
帯状装身具の一端に連結される本体と、
本体内に装身具の長手方向に関して横方向に摺動可能に設けられた一対のプッシュボタンと、
プッシュボタンをそれぞれ外方向に付勢するばねと、
ばねによって付勢された各プッシュボタンをプッシュボタンの操作部が本体から突出された位置で止める停止手段と、
本体の一端に回動自在に連結された表板と、
表板の下側に固定され、プッシュボタンの係止部と係合するための係合ピンと、
を含み、
装身具の他端の連結かんの連結軸を本体と表板とで保持して装身具の両端を連結するようにした中留であって、
各プッシュボタンは、
操作部と、
該操作部から内方に延びる腕部と、
腕部の先端に形成された係止部と、
を有し、
一方のプッシュボタンの腕部は上腕部を形成し、
他方のプッシュボタンの腕部は下腕部を形成し、
上腕部が下腕部の上に摺動可能に重ねられて、
一方のプッシュボタンの係止部が、他方のプッシュボタンの係止部の上を越えて、一方のプッシュボタンと他方のプッシュボタンの係止部が対向して配置される中留。
【請求項２】
帯状装身具の一端に連結される本体と、
本体内に装身具の長手方向に関して横方向に摺動可能に設けられた一対のプッシュボタンと、
プッシュボタンをそれぞれ外方向に付勢するばねと、
ばねによって付勢された各プッシュボタンをプッシュボタンの操作部が本体から突出された位置で止める停止手段と、
本体の一端に回動自在に連結された表板と、
表板の下側に固定され、プッシュボタンの係止部と係合するための係合ピンと、
を含み、
装身具の他端の連結かんの連結軸を本体と表板とで保持して装身具の両端を連結するようにした中留であって、
各プッシュボタンは凹部を有し、
プッシュボタンが押圧された状態において、
一方のプッシュボタンの係止部が他方のプッシュボタンの凹部内に位置し、
他方のプッシュボタンの係止部が一方のプッシュボタンの凹部内に位置する中留。
【請求項３】
帯状装身具の一端に連結される本体と、
本体内に装身具の長手方向に関して横方向に摺動可能に設けられた一対のプッシュボタンと、
プッシュボタンをそれぞれ外方向に付勢するばねと、
ばねによって付勢された各プッシュボタンをプッシュボタンの操作部が本体から突出された位置で止める停止手段と、
本体の一端に回動自在に連結された表板と、
表板の下側に固定され、プッシュボタンの係止部と係合するための係合ピンと、
を含み、
装身具の他端の連結かんの連結軸を本体と表板とで保持して装身具の両端を連結するようにした中留であって、
各プッシュボタンが１個の抜け止めピンに当接することによって、各プッシュボタンが、操作部が本体から突出する位置で止められる中留。
【請求項４】
請求項１に記載された中留であって、
一方のプッシュボタンの上腕部はプッシュボタンの厚みの上半を占め、
他方のプッシュボタンの下腕部はプッシュボタンの厚みの下半を占め、
上下腕部は平面において同一位置に設けられ、互いに重ねられる中留。
【請求項５】
請求項１から３のいずれかに記載された中留であって、
本体と表板の間に表板を開放位置に付勢する開きばねを設けた中留。
【請求項６】
請求項１から３のいずれかに記載された中留であって、
係合ピンはその頂部に半球状のヘッドを有する中留。
【請求項７】
請求項１に記載された中留であって、
プッシュボタンの上下腕部はプッシュボタンの一側に片寄って配置される中留。
【請求項８】
請求項１に記載された中留であって、
プッシュボタンの上下腕部はプッシュボタンの略中央に位置する中留。
【請求項９】
請求項１から３のいずれかに記載された中留であって、
停止手段は本体に固定され、プッシュボタンの上下腕部の側面に形成された切欠部の側壁に当接するように配置された抜け止めピンより成る中留。
【請求項１０】
請求項１から３のいずれかに記載された中留であって、
表板を外方向に付勢する開きばねを備え、
開きばねはコイルばねであり、本体に形成された連結部と、表板に連結されるピンとの間に配置される中留。
【請求項１１】
請求項１から３のいずれかに記載された中留であって、
ばねはプッシュボタンの両側に配置された一対の戻しばねである中留。
【請求項１２】
請求項１から３のいずれかに記載された中留であって、
表板は基部の両側に形成された一対の連結突起と、その突起と一体に形成された横板とよりなる中留。
【請求項１３】
請求項１から３のいずれかに記載された中留であって、
プッシュボタンの係止部は表板の係合ピンと係合する係合フックを有する中留。
【請求項１４】
請求項１から３のいずれかに記載された中留であって、
両プッシュボタンは平面で線対称形状に形成される中留。
【請求項１５】
請求項９に記載された中留であって、
切欠部は上下腕部の内側に形成される中留。
【請求項１６】
請求項９に記載された中留であって、
切欠部は上下腕部の外側に形成される中留。
【請求項１７】
請求項１３に記載された中留であって、
プッシュボタンの操作部と係止部は同じ厚さを有し、係合フックはその下側に形成された逃げ孔によって形成される中留。
【請求項１８】
請求項１７に記載された中留であって、
プッシュボタンの上下腕部はプッシュボタンの一側に片寄って配置されており、停止手段は本体に固定され、プッシュボタンの上下腕部の外側面に形成された切欠部の側壁に当接するように配置された抜け止めピンより成り、プッシュボタンの係合部は表板の係合ピンと係合する係合フックを有し、プッシュボタンの操作部と係合部は同じ厚さを有し、係合フックはその下側に形成された逃げ孔によって形成される中留。
【請求項１９】
請求項１７に記載された中留であって、
プッシュボタンの上下腕部はプッシュボタンの略中央に位置されており、停止手段は本体に固定され、プッシュボタンの上下腕部の内側面に形成された切欠部の側壁に当接するように配置された抜け止めピンより成り、プッシュボタンの係合部は表板の係合ピンと係合する係合フックを有し、プッシュボタンの操作部と係合部は同じ厚さを有し、係合フックはその下側に形成された逃げ孔によって形成され、表板は基部の両側に形成された一対の連結突起と、その突起と一体に形成された横板とよりなる中留。
【請求項２０】
請求項１から１９のいずれかに記載された中留を備える帯状装身具。
【請求項２１】
請求項１から１９のいずれかに記載された中留を備える時計バンド。
【請求項２２】
請求項１から１９のいずれかに記載された中留を備える時計。
【発明の詳細な説明】
【０００１】
【産業上の利用分野】
本発明は時計用バンド、ブレスレット等の帯状装身具を環状に連結するための連結金具に関し、特に、婦人用のブレスレット、時計のバンド等の幅の細い装身具に用いられるに適した連結金具としての中留に関する。
【０００２】
【従来の技術】
図１１はプッシュボタンを有する時計バンド用の従来の中留を示す。中留４０は一対のプッシュボタン４２が中留本体４１に形成された収容空間部４３内に摺動自在に設けられ、バンド（図示せず）の長手方向に対して横方向に動くようになっている。プッシュボタン４２は同一形状であり、収容空間部４３の中心に関し点対称に配置されている。各プッシュボタン４２は、半円形で、上向傾斜部を有し、互いに相対して配置された係合フック４４を有する。プッシュボタン４２間に、一対の戻しばね４５がプッシュボタンの長手方向に対して両側に設けられ、且つ点対称に配置されて、プッシュボタンを外方向に付勢している。更に、一対の抜け止めピン４６が対応するプッシュボタン４２に形成された溝４２ａに係合され、本体にカシメ固定されている。各プッシュボタン４２は抜け止めピン４６によってプッシュボタンの端部が本体４１から突出する位置で止められている。従って、プッシュボタンが本体から抜け出るのを止められている。
【０００３】
中留４０の一端には円筒状の連結部４７が形成され、ここに表板（図示せず）が回動可能に取付けられる。この表板の裏側には、例えば図１に示す半球状のヘッドを有する係合ピン２１が固定され、このピンが係合フック４４に係合するようになっている。
【０００４】
【発明が解決しようとする課題】
このような中留では、プッシュボタンと戻しばねが収容空間部内で平面的に且つ点対称に配置されているので、中留の幅が大きくなる。このような中留は婦人用の小さい幅のバンドに利用するのは困難である。
【０００５】
従って本発明の目的は、幅が狭く、また全体としても小型で、しかも強度のある中留を提供することである。
【０００６】
【課題を解決するための手段】
上記の目的を達成するため、第１の本発明による中留は、上部に開口を有し、帯状装身具の一端に連結される本体と、本体内に装身具の長手方向に関して横方向に摺動可能に設けられた一対のプッシュボタンと、本体の一端に回動自在に連結された表板とを有し、装身具の他端の連結かんの連結軸を本体と表板とで保持して装身具の両端を連結するようにした中留において、各プッシュボタンは操作部と、該操作部から内方に延びる腕部と、腕部の先端に形成された係合部を有し、一方のプッシュボタンの腕部はプッシュボタンの厚みの上半を占める上腕部を形成し、他方のプッシュボタンの腕部は下半を占める下腕部を形成し、上下腕部は平面において同一位置に設けられ、互いに重ねられていることと、プッシュボタンの間に設けられ、プッシュボタンを夫々外方向に付勢するばねと、前記ばねによって付勢された各プッシュボタンを、プッシュボタンの操作部が本体から突出された位置で止める停止手段と、表板の下側に固定され、プッシュボタンの係合部と係合するように設けられた係合ピンとより成ることを特徴とする。
特に、
「各プッシュボタンは、
操作部と、
該操作部から内方に延びる腕部と、
腕部の先端に形成された係止部と、
を有し、
一方のプッシュボタンの腕部は上腕部を形成し、
他方のプッシュボタンの腕部は下腕部を形成し、
上腕部が下腕部の上に摺動可能に重ねられて、
一方のプッシュボタンの係止部が、他方のプッシュボタンの係止部の上を越えて、一方のプッシュボタンと他方のプッシュボタンの係止部が対向して配置される」ことを特徴とする。
さらに、
「各プッシュボタンは凹部を有し、
プッシュボタンが押圧された状態において、
一方のプッシュボタンの係止部が他方のプッシュボタンの凹部内に位置し、
他方のプッシュボタンの係止部が一方のプッシュボタンの凹部内に位置する」
ことを特徴とする。
さらにまた、
「各プッシュボタンが１個の抜け止めピンに当接することによって、各プッシュボタンが、操作部が本体から突出する位置で止められる」
ことを特徴とする。
【０００７】
第２の本発明による中留は、第１の発明において、プッシュボタンの上下腕部はプッシュボタンの一側に片寄って配置されており、停止手段は本体に固定され、プッシュボタンの上下腕部の外側面に形成された切欠部の側壁に当接するように配置された抜け止めピンより成り、プッシュボタンの係合部は表板の係合ピンと係合する係合フックを有し、プッシュボタンの操作部と係合部は同じ厚さを有し、係合フックはその下側に形成された逃げ孔によって形成されたことを特徴とする。
【０００８】
第３の本発明による中留は、第１の発明において、プッシュボタンの上下腕部はプッシュボタンの略中央に位置されており、停止手段は本体に固定され、プッシュボタンの上下腕部の内側面に形成された切欠部の側壁に当接するように配置された抜け止めピンより成り、プッシュボタンの係合部は表板の係合ピンと係合する係合フックを有し、プッシュボタンの操作部と係合部は同じ厚さを有し、係合フックはその下側に形成された逃げ孔によって形成され、表板は基部の両側に形成された一対の連結突起と、その突起と一体に形成された横板とよりなることを特徴とする。
【０００９】
【作用】
中留の連結状態においては、装身具の一端の連結かんの連結軸がロックされた表板と中留本体との間に挟持されている。両プッシュボタンを押すと、その係合部が表板の係合ピンより外れ、表板が解放され、連結かんを中留本体より外すことができる。
【００１０】
【実施例】
以下、本発明の実施例を図面に基づいて詳細に説明する。図１は本発明の一実施例としての中留を示す斜視図、図２はその主要部分を示す切断平面図である。図１及び図２を参照するに、本発明の中留１は、時計バンド２の一端の駒２ａに回転自在に連結された中留本体３と、中留本体３の一端に回転自在に取り付けられた表板４と、バンドの他端の駒２ｂに回転可能に取付けられた連結かん２３より成る。
【００１１】
中留本体３は図１に示すように上面に凹部５を有し、ここに表板４が係合されるようになっている。また図２に示すように、本体内に幅方向に形成され、本体の両側面に開口する収容空間部６が形成され、凹部５に収容空間部６に連通する円形の開口７が形成されている。更に、本体の基部からは夫々連結孔３ｂを有する一対の連結脚部３ａが突出され、ピン２ｃを介してバンド端部の駒２ａと連結される。又連結脚部３ａと反対側では、凹部５の下方から支持腕８が突出され、その先端に円筒状の連結部９が形成されている。開きばね１０が、図２に示すように連結部９の大径孔内にに係合している。即ちばね１０の内端部は連結部９に固定されており、外端部は突出している。
【００１２】
一対のプッシュボタン１１、１２が収容空間部６内に納められ、バンドの長手方向に対して横方向に摺動できるようになっている。プッシュボタン１１、１２は略平面で線対称形状であり、収容空間部６内に線対称に一部分が重なって配置されている。
【００１３】
即ち、図３に示すように、一方のプッシュボタン１１は、収容空間部６から突出するように形成された操作部１１ａと、操作部１１ａの内側に形成された凹部１１ｂと、プッシュボタン１１の厚みの上半分の厚さを有し、プッシュボタン１１の上面と同一平面で凹部１１ｂの一端から内方に延び、内側に切欠部１５ａを有する上腕部１５と、上腕部１５の先端に凹部１１ｂと対応し、プッシュボタンの上下面と同一平面を有するように形成された係止部１７とを有する。係止部１７は、凹部１１ｂに対応する上端部に、半円形で、球面状の傾斜部２０ａを有する係合フック２０を有する。係止部１７の係合フック２０の下側には、図４に示すように段部を有する逃げ孔２０ｂが形成され、フックの係合部を形成している。
【００１４】
他方のプッシュボタン１２は、収容空間部６から突出するように形成された操作部１２ａと、操作部１２ａの内側に形成された凹部１２ｂとを有し、プッシュボタン１２の下面と同一平面で、プッシュボタンの厚みの下半分の厚さを有する下腕部１６が凹部１２ｂの一端から上腕部１５に対応して内方に延びている。下腕部１６はその内側に切欠部１６ａを有し、先端に凹部１２ｂに対応して、プッシュボタンの上下面と同一平面を有する係止部１８が形成される。係止部１８は係止部１７と同様に、凹部１２ｂに対応する半円形の係合フック２０ｃを有する。係合フック２０ｃは球面状の傾斜部２０ｄを有し、その下方には逃げ孔２０ｅが形成されている。
【００１５】
組み立てにおいて、プッシュボタン１１の上腕部１５がプッシュボタン１２の下腕部１６の上に摺動可能に重ねられる。即ち、係止部１７は係止部１８の上を越えて係合フック２０と係合フック２０ｃとが互いに対向して配置される。係合フック２０、２０ｃの下方の逃げ孔２０ｂ、２０ｅも互いに対向している。一対の戻しばね１３がプッシュボタン１１、１２の凹部１１ｂ、１２ｂの両側突出部１１ｃと１２ｃの間に夫々配置される。本体３の側面から収容空間部６にプッシュボタンと戻しばねを組合せたものを挿入し、１個の抜け止めピン１４が本体の凹部５に形成された孔に圧入され、抜け止めピン１４は上下腕部１５、１６の切欠部１５ａ、１６ａと係止部１７、１８との間に形成された空隙に係合し、その側壁に当接し、各プッシュボタン１１、１２は抜け止めピン１４によって操作部１１ａ、１２ａが本体３から突出する位置で止められている。本体３上の開口７はプッシュボタン１１、１２の係合フック２０、２０ｃに対応して形成されている。
【００１６】
表板４は、図５に示すように、下側に堅固に取付けられた係合ピン２１を有する。係合ピン２１は凹部５の開口７に対応する半球状のヘッド２１ａを有する。更に孔４ｂを有する一対の連結突起４ａが表板４の基部両側に設けられている。
【００１７】
図１に示すように、連結ピン２２が連結突起４ａの孔４ｂ及び開きばね１０を有する連結部９の孔に挿入されて、表板４が本体３に回転自在に連結される。連結部９に係合されたばね１０の外端部は表板４の下側に当接される。従って、表板４はばね１０によって外方向に付勢され、図１に示すように開かれる。
【００１８】
バンド２の他端の駒２ｂにピン２ｄにより連結された連結かん２３には横方向に連結軸２３ａが設けられている。
【００１９】
中留１を連結する方法を以下に説明する。表板４はバンド２の連結かん２３の連結軸２３ａの下方から挿入される。連結軸２３ａは本体３の支持腕８上に置かれ、表板４が連結ピン２２を中心に連結軸２３ａを越えて回転される。表板４が凹部５に当接するように押圧され、係合ピン２１が凹部５の開口７に挿入される。係合ピン２１の半球状ヘッド２１ａはプッシュボタン１１、１２の係合フック２０、２０ｃの傾斜部２０ａ、２０ｄと係合し、ばね１３の弾性力に抗してプッシュボタン１１、１２を夫々外方向に押す。半球状ヘッド２１ａが係合フックを通過すると、係合フックはばね１３によって戻され、係合ピン２１と係合する。一方ヘッド２１ａは係合フックの下方に形成された逃げ孔２０ｂ、２０ｅに係合する。これにより、バンド２の両端が連結される。
【００２０】
中留１を外すには、プッシュボタン１１、１２の操作部１１ａ、１２ａを同時に押圧する。これにより、係合フック２０、２０ｃが開き、係合ピン２１を解除する。この時、プッシュボタン１１、１２には凹部１１ｂ、１２ｂが形成されているので、係止部１７、１８が対応する凹部１２ｂ、１１ｂ内に位置され、夫々のプッシュボタンにぶつからないようになっている。係合ピン２１が解除されると、開きばね１０の端部が表板４の下側に当接し、表板を上方向に付勢しているので、表板４は自動的に開く。その後連結軸２３ａが支持腕８から外される。このようにして、連結かん２３が中留１から外される。
【００２１】
本実施例によればプッシュボタンが互いに部分的に重なっており、中留の幅が減少される。従って、小さい幅の装身具に利用できる。
【００２２】
上記第１実施例では、上下腕部１５、１６が細くなる傾向があり、強度が不足することがある。それを補うため、太くすると中留の幅が広くなる。又凹部５の開口７と抜け止めピン１４の孔が接近しているので、凹部５の壁が破れてしまう恐れがある。更に、表板４は係合ピンの半球状のヘッド２１ａのために、構造上その長手方向にスペ−スに余裕を持たせる必要がある。そのため表板の長さが長くなるが、表板が長いと外観が劣ることになる。
【００２３】
図６乃至図９は上記の問題を解消した本発明の第２実施例を示す。第１実施例と同一の部分は図１乃至図５と同じ参照符号で示される。中留２４は、前述の実施例と同様に、中留本体２５と表板２７とより成る。中留本体２５の凹部２６には矩形の開口２９が形成されている。収容空間部３０内に一対のプッシュボタン３１、３２が一部分重なって摺動自在に配置されている。
【００２４】
図８に示すように一方のプッシュボタン３１は、操作部３１ａと、その内側に形成された凹部３１ｂとを有する。プッシュボタン３１の厚みの上半分の厚さで、その上面と同一平面を有する上腕部３５が、操作部３１ａの略中央部から内方に延びており、外側に切欠部３５ａが形成されている。上腕部３５の内側部に、プッシュボタンの上下面と同一高さの上下面を有する、平面Ｕ字形の係止部３７が凹部３１ｂに向かい合って形成されている。係止部３７は、凹部３１ｂに対応する上端部に、下向傾斜部３９ａを有する係合フック３９を有する。係合フック３９の下側には逃げ孔３９ｂが形成され、フックの係合部を形成している。
【００２５】
他方のプッシュボタン３２は、プッシュボタン３１と線対称形状をなし、操作部３２ａと、凹部３２ｂとを有し、プッシュボタン３２の下面と同一平面で、その下半分の厚さを有する下腕部３６が、操作部３２ａの略中央部から上腕部３５に対応して内方に延びている。下腕部３６はその外側に切欠部３６ａを有し、その内側部にプッシュボタンの上下面と同一上下面を有する係止部３８が形成されている。係止部３８は係止部３７と同様に傾斜部３９ａを有する係合フック３９を有し、その下側には同様に逃げ孔３９ｂが形成されている。
【００２６】
組み立てにおいて、プッシュボタン３１の上腕部３５がプッシュボタン３２の下腕部３６に互いに摺動可能に重ねられる。係止部３７、３８がプッシュボタンの上面と同一の高さで、且つ係合フック３９が互いに対向して配置される。一対の戻しばね３３がプッシュボタン３１、３２の両側突出部３１ｃ、３２ｃの間に夫々取付けられる。この状態で本体２５の収容空間部３０内に挿入され、抜け止めピン３４が本体の凹部２６に形成された孔に圧入され、上下腕部３５、３６の切欠部３５ａ、３６ａ間で形成された空隙に係合する（図７）。従って、プッシュボタン３１、３２が本体２５から抜け出るのを止められている。凹部２６の矩形の開口２９はプッシュボタン３１、３２の係合フック３９に対応して形成されている。
【００２７】
図９に示すように、表板２７の下側に取付けられた係合ピン２８は平坦形のヘッド２８ａを有する。このヘッドは半球状のヘッドを表板の長手方向両側を平行に切除して半円形板状に形成されている。本体２５の凹部２６の矩形の開口２９はこのヘッドの形状に対応したものである。更に表板には一対の連結突起２７ａ間に一体に形成された横板２７ｂが形成されている。
【００２８】
中留２４の着脱方法は前述の実施例と同様である。即ち、表板２７をバンド２の連結かん２３の内側に通し、係合ピン２８が本体２５の凹部２６の矩形開口２９に挿入されると、係合ピン２８の平坦形ヘッド２８ａがプッシュボタン３１、３２の係合フック３９の傾斜部３９ａと係合し、戻しばね３３の弾性力に抗してプッシュボタン３１、３２を夫々外方向に押す。ヘッド２８ａが係合フック３９を通過すると、係合フックはばね３３によって戻され、係合ピン２８と係合し、ヘッド２８ａは係合フックの下側の逃げ孔３９ｂと係合する。プッシュボタン３１、３２の操作部３１ａ，３２ａを同時に押圧することによって、係合フック３９は係合ピン２８から外される。
【００２９】
本実施例ではプッシュボタンの上下腕部がプッシュボタンの操作部の略中央部から突出し、抜け止めピンの為の切欠部を腕部の外側に形成している。従って、上下腕部の幅を広くすることができるので強度が増す。又、抜け止めピンが係合する切欠部が外側に形成されているので、抜け止めピンの位置が凹部の開口から遠ざかり、本体の凹部の壁が破れにくくなる。
【００３０】
更に、表板の係合ピンのヘッドが長手方向に幅が狭くなっているので、表板はその長さが減少され、外観を向上させることができる。又、表板の基部を一体の横板で塞いでいるので、連結部が見えず中留の外観をより向上させ、しかも強度を増すことができる。
【００３１】
図１０は本発明の第３実施例を示す斜視図である。本実施例は第１実施例の中留１をブレスレット５０に適用したもので、中留本体３ｃ及び連結かん２３ｂは基端縁を円弧状にし、その部分にブレスレット５０の端部のリング５０ａをロ−付けにより連結したものである。中留の構造は第１実施例と同じで、その構成に付いての説明は省略する。
【００３２】
尚、上記実施例においては、中留本体３にリング５０をロ−付けで固定したが、中留本体３の基端縁に孔を明け、この孔にリング５０を挿入固定しても良い。又、形状の異なるブレスレットの場合は、ピン、ばね棒等の連結部材により中留本体と連結する。
【００３３】
【発明の効果】
以上の説明から明らかなように、本発明によればプッシュボタンが互いに部分的に上下に重なっているので、小さい幅の装身具に利用できる。更に、プッシュボタンの形状を選定し、又係合ピンのヘッドの形状を変えることにより、中留の形状をより小さく、しかも外観品質の向上と強度を増すことができる。
【図面の簡単な説明】
【図１】本発明の第１実施例としてのバンドと中留を示す斜視図である。
【図２】  中留の主要部分を示す切断平面図である。
【図３】  中留のプッシュボタンを示す分解斜視図である。
【図４】図２のＩＶ−ＩＶ線に沿う断面図である。
【図５】表板の斜視図である。
【図６】本発明の第２実施例としてのバンドと中留を示す斜視図である。
【図７】  第２実施例の中留の主要部分を示す切断平面図である。
【図８】  第２実施例のプッシュボタンを示す分解斜視図である。
【図９】第２実施例の表板の斜視図である。
【図１０】本発明の第３実施例を示す斜視図である。
【図１１】従来の中留の要部切断平面図である。
【符号の説明】
１  中留
２  時計バンド
２ａ、２ｂ  駒
２ｃ、２ｄ  ピン
３  中留本体
３ａ  連結脚部
３ｂ  孔
３ｃ  中留本体
４  表板
４ａ  連結突起
４ｂ  孔
５  凹部
６  収容空間部
７  円形開口
８  支持腕
９  連結部
１０  開きばね
１１  プッシュボタン
１１ａ  操作部
１１ｂ  凹部
１１ｃ  突出部
１２  プッシュボタン
１２ａ  操作部
１２ｂ  凹部
１２ｃ  突出部
１３  戻しばね
１４  抜け止めピン
１５  上腕部
１５ａ  切欠部
１６  下腕部
１６ａ  切欠部
１７、１８  係止部
２０、２０ｃ  係合フック
２０ａ、２０ｄ  傾斜部
２０ｂ、２０ｅ  逃げ孔
２１  係合ピン
２１ａ  半球状ヘッド
２２  連結ピン
２３  連結かん
２３ａ  連結軸
２３ｂ  連結かん
２４  中留
２５  中留本体
２６  凹部
２７  表板
２７ａ  連結突起
２７ｂ  横板
２８  係合ピン
２８ａ  半円形板状ヘッド
２９  矩形開口
３０  収容空間部
３１  プッシュボタン
３１ａ  操作部
３１ｂ  凹部
３１ｃ  突出部
３２  プッシュボタン
３２ａ  操作部
３２ｂ  凹部
３２ｃ  突出部
３３  戻しばね
３４  抜け止めピン
３５  上腕部
３５ａ  切欠部
３６  下腕部
３６ａ  切欠部
３７、３８  係止部
３９  係合フック
３９ａ  下向傾斜部
３９ｂ  逃げ孔
５０  ブレスレット
５０ａ  リング
【図１】
0003753756.tif 000002
【図２】
0003753756.tif 000003
【図３】
0003753756.tif 000004
【図４】
0003753756.tif 000005
【図５】
0003753756.tif 000006
【図６】
0003753756.tif 000007
【図７】
0003753756.tif 000008
【図８】
0003753756.tif 000009
【図９】
0003753756.tif 000010
【図１０】
0003753756.tif 000011
【図１１】
0003753756.tif 000012